(57)【要約】【課題】ガイド部材における用紙搬送方向下流側のガイドを感光体に接触または離間させる機構が簡易な構成で実現できる、感光体カートリッジ、および、その感光体カートリッジが装備される画像形成装置を提供すること。【解決手段】感光ドラム２３の上流側に、用紙３の通過時には用紙当接部６５が傾倒する通過位置に配置され、用紙３の非通過時には用紙当接部６５が直立する非通過位置に配置されるように、第１回転軸６４を中心として揺動する第１揺動部材６２を設ける。感光ドラム２３と第１揺動部材６２との間に、第２回転軸８１を中心として第１揺動部材６２の揺動に連動して揺動する第２揺動部材６３を設ける。第２揺動部材６３は、第１揺動部材６２が通過位置または非通過位置に位置されたときに、感光ドラム２３に対してフィルム部材８６が近接または離間する近接位置または離間位置に位置される。【選択図】図１０
2008139855.tif 000002
【特許請求の範囲】
【請求項１】
現像剤像を担持する像担持体と、
前記像担持体と接触可能に対向配置され、前記像担持体との接触位置で前記現像剤像を記録媒体に転写する転写部材と、
前記接触位置に対して前記記録媒体の搬送方向上流側に設けられ、前記記録媒体の通過時には、前記接触位置側に向かう記録媒体を前記接触位置に至る途中まで案内するために、第１位置に配置され、前記記録媒体の非通過時には、第２位置に配置されるように、第１支点を中心として揺動される第１揺動部材と、
前記記録媒体の搬送方向において前記第１揺動部材から前記接触位置へ至る途中に設けられ、第２支点を中心として前記第１揺動部材の揺動に連動して揺動され、前記第１揺動部材が前記第１位置に配置されたときに、前記第１揺動部材から案内された前記記録媒体を前記像担持体へ案内するために、前記像担持体に近接する近接位置に配置され、前記第１揺動部材が前記第２位置に配置されたときに、前記像担持体から離間する離間位置に配置される第２揺動部材と
を備えていることを特徴とする、画像形成装置。
【請求項２】
前記第１揺動部材は、
前記第１支点を中心として回転する第１回転軸と、
前記第１回転軸から前記記録媒体の搬送経路に臨むように突出され、前記記録媒体と当接する記録媒体当接部と、
前記第１回転軸から前記第２揺動部材に向かって突出される第１当接部と
を備え、
前記第２揺動部材は、
前記第２支点を中心として回転する第２回転軸と、
前記第２回転軸から前記像担持体に向かって突出され、前記記録媒体を前記像担持体へ案内する記録媒体案内部と、
前記第２回転軸から前記第１当接部に向かって突出され、前記第１当接部に追従する第２当接部と
を備えていることを特徴とする、請求項１に記載の画像形成装置。
【請求項３】
前記記録媒体案内部は、
前記第２回転軸から前記接触位置側に向けて延出される案内支持部と、
前記案内支持部の延出方向端部から、前記接触位置側に向かって延びる可撓性部材とを備えていることを特徴とする、請求項２に記載の画像形成装置。
【請求項４】
前記第１当接部は、前記第１回転軸から径方向外方に延びる突出部と、前記突出部から前記第２当接部に向かって突出する係止部とを備え、
前記第２当接部は、前記第２回転軸から前記記録媒体の搬送方向上流側に向かって延び、自重によって前記係止部に当接することを特徴とする、請求項２または３に記載の画像形成装置。
【請求項５】
前記第２揺動部材では、前記第２支点から前記案内支持部の遊端部までの距離をＬ１とし、その案内支持部の遊端部にかかる荷重をＦ１とし、前記第２支点から前記第２当接部の遊端部までの距離をＬ２とし、その第２当接部の遊端部にかかる荷重をＦ２としたときに、次式：Ｌ１・Ｆ１＜Ｌ２・Ｆ２を満足することを特徴とする、請求項４に記載の画像形成装置。
【請求項６】
前記記録媒体の非通過時に、前記第１位置から前記第２位置へ揺動する前記第１揺動部材の前記第２位置を超過する揺動を規制する規制部材を備え、
前記第１揺動部材は、前記記録媒体の非通過時に前記第２位置に配置されたときに、前記規制部材に当接する被規制部材を備えていることを特徴とする、請求項４または５に記載の画像形成装置。
【請求項７】
前記第１当接部は、前記第１回転軸から径方向外方に延びる突出部と、前記突出部から前記突出部の長手方向と交差する方向に突出する突起部とを備え、
前記第２当接部には、前記突起部をスライド自在に受け入れる受入溝が、前記第１揺動部材の前記第１位置と前記第２位置との間の揺動に対応する前記突起部のスライドを許容できるように、前記第２当接部の延出方向に沿って形成されていることを特徴とする、請求項２または３に記載の画像形成装置。
【請求項８】
前記第１揺動部材は、前記第１回転軸から径方向外方に延び、前記第１揺動部材の前記第１位置と前記第２位置との間の揺動により検知位置に対して重複または離間して、前記記録媒体が前記記録媒体当接部と当接したことを検知させる検知部を備えており、
前記検知部の検知位置に対する重複状態または離間状態を検知する検知手段を備えていることを特徴とする、請求項１ないし７のいずれかに記載の画像形成装置。
【請求項９】
ケーシングと、前記ケーシングに対して着脱可能な感光体カートリッジとを備え、
前記像担持体は、前記感光体カートリッジに設けられていることを特徴とする、請求項１ないし８のいずれかに記載の画像形成装置。
【請求項１０】
前記第１揺動部材は、前記ケーシングにおいて、揺動自在に支持されていることを特徴とする、請求項９に記載の画像形成装置。
【請求項１１】
前記第２揺動部材は、前記感光体カートリッジにおいて、揺動自在に支持されていることを特徴とする、請求項９または１０に記載の画像形成装置。
【請求項１２】
ケーシングに対して着脱可能な感光体カートリッジであって、
現像剤像を担持する像担持体と、
前記像担持体と接触可能に対向配置され、前記像担持体との接触位置で前記現像剤像を記録媒体に転写する転写部材と、
前記接触位置に対して前記記録媒体の搬送方向上流側に設けられており、前記像担持体に対して近接する近接位置と、前記像担持体に対して離間する離間位置とに、第２支点を中心として揺動される第２揺動部材とを備え、
前記第２揺動部材は、
前記ケーシングに設けられ、前記記録媒体の通過時には、前記接触位置側に向かう記録媒体を前記接触位置に至る途中まで案内するために、第１位置に配置され、前記記録媒体の非通過時には、第２位置に配置されるように、第１支点を中心として揺動される第１揺動部材に連動して揺動され、前記第１揺動部材が前記第１位置に配置されたときに、前記第１揺動部材から案内された前記記録媒体を前記像担持体へ案内するために、前記近接位置に配置され、前記第１揺動部材が前記第２位置に配置されたときに、前記離間位置に配置されることを特徴とする、感光体カートリッジ。
【発明の詳細な説明】
【技術分野】
【０００１】
本発明は、レーザプリンタなどの画像形成装置、その画像形成装置に装備されるドラムカートリッジなどの感光体カートリッジに関する。
【背景技術】
【０００２】
レーザプリンタなどの画像形成装置には、通常、静電潜像の現像により形成されるトナー像が担持されている感光ドラムを備えるプロセスカートリッジが、画像形成装置に着脱自在に装着されている。感光ドラムは、画像形成装置において、転写ローラと接触するように対向配置される。
【０００３】
この画像形成装置では、感光ドラムと転写ローラとの間のニップ位置を用紙が通過する間に、感光ドラムに担持されているトナー像が、転写ローラの転写バイアスによって用紙に転写されるように構成された転写装置を備えている。
【０００４】
このような転写装置には、感光ドラムと転写ローラとの間のニップ位置よりも用紙の搬送方向上流側に、用紙をニップ位置に案内するためのガイド部材が、感光ドラムと近接して設けられている。
【０００５】
このガイド部材は、転写紙搬送用ガイドと、その転写紙搬送用ガイドを揺動させる偏心カムと、フォトセンサと、を備え、フォトセンサで転写紙の先端を検知したときは、偏心カムを回転させて転写紙搬送用ガイドを感光体に近接させ、フォトセンサで転写紙の後端を検知したときは、偏心カムを回転させて、転写紙搬送用ガイドを感光体から離間させるように構成されている（たとえば、特許文献１参照。）。
【特許文献１】特開平５−５３４４９号公報
【発明の開示】
【発明が解決しようとする課題】
【０００６】
しかし、特許文献１に記載される転写装置では、下側ガイド部材の用紙搬送方向下流側部分を感光体に対して接触または離間させるために、フォトセンサや偏心カムが必要であり、さらには、偏心カムを回転させるためのモータや、フォトセンサからの信号を受信してモータを所定のタイミングで駆動制御するための制御部が必要となり、部品点数が多く、構成が複雑となる。
【０００７】
また、フォトセンサや制御部に設けられる制御基板などの電子機器は、電気的要因により故障するなど、信頼性に欠ける場合がある。
【０００８】
本発明の目的は、ガイド部材における用紙搬送方向下流側のガイドを感光体に接触または離間させる機構が簡易な構成で実現でき、かつ、下側ガイド部材の感光体側端部を可撓性部材で構成した場合には、用紙後端がこの可撓性部材から離間したときに、この可撓性部材の上方向への戻りにより異音の発生が低減できる、感光体カートリッジ、および、その感光体カートリッジが装備される画像形成装置を提供することにある。
【課題を解決するための手段】
【０００９】
上記目的を達成するため、請求項１に記載の発明は、画像形成装置であって、現像剤像を担持する像担持体と、前記像担持体と接触可能に対向配置され、前記像担持体との接触位置で前記現像剤像を記録媒体に転写する転写部材と、前記接触位置に対して前記記録媒体の搬送方向上流側に設けられ、前記記録媒体の通過時には、前記接触位置側に向かう記録媒体を前記接触位置に至る途中まで案内するために、第１位置に配置され、前記記録媒体の非通過時には、第２位置に配置されるように、第１支点を中心として揺動される第１揺動部材と、前記記録媒体の搬送方向において前記第１揺動部材から前記接触位置へ至る途中に設けられ、第２支点を中心として前記第１揺動部材の揺動に連動して揺動され、前記第１揺動部材が前記第１位置に配置されたときに、前記第１揺動部材から案内された前記記録媒体を前記像担持体へ案内するために、前記像担持体に近接する近接位置に配置され、前記第１揺動部材が前記第２位置に配置されたときに、前記像担持体から離間する離間位置に配置される第２揺動部材とを備えていることを特徴としている。
【００１０】
また、請求項２に記載の発明は、請求項１に記載の発明において、前記第１揺動部材は、前記第１支点を中心として回転する第１回転軸と、前記第１回転軸から前記記録媒体の搬送経路に臨むように突出され、前記記録媒体と当接する記録媒体当接部と、前記第１回転軸から前記第２揺動部材に向かって突出される第１当接部とを備え、前記第２揺動部材は、前記第２支点を中心として回転する第２回転軸と、前記第２回転軸から前記像担持体に向かって突出され、前記記録媒体を前記像担持体へ案内する記録媒体案内部と、前記第２回転軸から前記第１当接部に向かって突出され、前記第１当接部に追従する第２当接部とを備えていることを特徴としている。
【００１１】
また、請求項３に記載の発明は、請求項２に記載の発明において、前記記録媒体案内部は、前記第２回転軸から前記接触位置側に向けて延出される案内支持部と、前記案内支持部の延出方向端部から、前記接触位置側に向かって延びる可撓性部材とを備えていることを特徴としている。
【００１２】
また、請求項４に記載の発明は、請求項２または３に記載の発明において、前記第１当接部は、前記第１回転軸から径方向外方に延びる突出部と、前記突出部から前記第２当接部に向かって突出する係止部とを備え、前記第２当接部は、前記第２回転軸から前記記録媒体の搬送方向上流側に向かって延び、自重によって前記係止部に当接することを特徴としている。
【００１３】
また、請求項５に記載の発明は、請求項４に記載の発明において、前記第２揺動部材では、前記第２支点から前記案内支持部の遊端部までの距離をＬ１とし、その案内支持部の遊端部にかかる荷重をＦ１とし、前記第２支点から前記第２当接部の遊端部までの距離をＬ２とし、その第２当接部の遊端部にかかる荷重をＦ２としたときに、次式：Ｌ１・Ｆ１＜Ｌ２・Ｆ２を満足することを特徴としている。
【００１４】
また、請求項６に記載の発明は、請求項４または５に記載の発明において、前記記録媒体の非通過時に、前記第１位置から前記第２位置へ揺動する前記第１揺動部材の前記第２位置を超過する揺動を規制する規制部材を備え、前記第１揺動部材は、前記記録媒体の非通過時に前記第２位置に配置されたときに、前記規制部材に当接する被規制部材を備えていることを特徴としている。
【００１５】
また、請求項７に記載の発明は、請求項２または３に記載の発明において、前記第１当接部は、前記第１回転軸から径方向外方に延びる突出部と、前記突出部から前記突出部の長手方向と交差する方向に突出する突起部とを備え、前記第２当接部には、前記突起部をスライド自在に受け入れる受入溝が、前記第１揺動部材の前記第１位置と前記第２位置との間の揺動に対応する前記突起部のスライドを許容できるように、前記第２当接部の延出方向に沿って形成されていることを特徴としている。
【００１６】
また、請求項８に記載の発明は、請求項１ないし７のいずれかに記載の発明において、前記第１揺動部材は、前記第１回転軸から径方向外方に延び、前記第１揺動部材の前記第１位置と前記第２位置との間の揺動により検知位置に対して重複または離間して、前記記
録媒体が前記記録媒体当接部と当接したことを検知させる検知部を備えており、前記検知部の検知位置に対する重複状態または離間状態を検知する検知手段を備えていることを特徴としている。
【００１７】
また、請求項９に記載の発明は、請求項１ないし８のいずれかに記載の発明において、ケーシングと、前記ケーシングに対して着脱可能な感光体カートリッジとを備え、前記像担持体は、前記感光体カートリッジに設けられていることを特徴としている。
【００１８】
また、請求項１０に記載の発明は、請求項９に記載の発明において、前記第１揺動部材は、前記ケーシングにおいて、揺動自在に支持されていることを特徴としている。
【００１９】
また、請求項１１に記載の発明は、請求項９または１０に記載の発明において、前記第２揺動部材は、前記感光体カートリッジにおいて、揺動自在に支持されていることを特徴としている。
【００２０】
また、請求項１２に記載の発明は、ケーシングに対して着脱可能な感光体カートリッジであって、現像剤像を担持する像担持体と、前記像担持体と接触可能に対向配置され、前記像担持体との接触位置で前記現像剤像を記録媒体に転写する転写部材と、前記接触位置に対して前記記録媒体の搬送方向上流側に設けられており、前記像担持体に対して近接する近接位置と、前記像担持体に対して離間する離間位置とに、第２支点を中心として揺動される第２揺動部材とを備え、前記第２揺動部材は、前記ケーシングに設けられ、前記記録媒体の通過時には、前記接触位置側に向かう記録媒体を前記接触位置に至る途中まで案内するために、第１位置に配置され、前記記録媒体の非通過時には、第２位置に配置されるように、第１支点を中心として揺動される第１揺動部材に連動して揺動され、前記第１揺動部材が前記第１位置に配置されたときに、前記第１揺動部材から案内された前記記録媒体を前記像担持体へ案内するために、前記近接位置に配置され、前記第１揺動部材が前記第２位置に配置されたときに、前記離間位置に配置されることを特徴としている。
【発明の効果】
【００２１】
請求項１に記載の発明によれば、記録媒体が、像担持体と転写部材との接触位置に向けて搬送されると、まず、接触位置に対して記録媒体の搬送方向上流側に設けられている第１揺動部材を通過する。記録媒体が第１揺動部材を通過するときには、第１揺動部材が第１支点を中心として揺動して第１位置に配置される。これによって、記録媒体は、接触位置側に向かう記録媒体を接触位置に至る途中まで案内される。次いで、記録媒体は、記録媒体の搬送方向において第１揺動部材から接触位置へ至る途中に設けられる第２揺動部材を通過する。このとき、第２揺動部材は、第１揺動部材の揺動に連動して、第２支点を中心として揺動して像担持体に近接する近接位置に配置されている。そのため、第１揺動部材から案内された記録媒体は、第２揺動部材に案内されながら像担持体に搬送されることになる。
【００２２】
一方、記録媒体が第１揺動部材を通過した後は、第１揺動部材が第１支点を中心として揺動して第２位置に配置されるので、第２揺動部材は、第１揺動部材の揺動に連動して、第２支点を中心として揺動して像担持体から離間する離間位置に配置される。そのため、記録媒体の後端部が第２揺動部材から離れるときに、この第２揺動部材の戻りによる異音の発生を防止することができる。
【００２３】
さらに、このような構成では、記録媒体の通過または非通過により、第１揺動部材および第２揺動部材を揺動させるのみであるため、検知手段、駆動源、さらには制御手段などの複雑な機構および制御が不要である。そのため、部品点数の低減化および構成の簡略化を図ることができる。
【００２４】
請求項２に記載の発明によれば、記録媒体が第１揺動部材を通過するときには、搬送経路に臨む第１揺動部材の記録媒体当接部と当接する。すると、第１揺動部材では、第１支点を中心として第１回転軸が回転して、第１当接部が揺動され、第１揺動部材が第１位置に配置される。また、第１当接部の揺動に第２揺動部材の第２当接部が追従するので、第２揺動部材では、第２支点を中心として第２回転軸が回転して、記録媒体案内部が揺動され、第２揺動部材が近接位置に配置される。
【００２５】
一方、記録媒体が第１揺動部材を通過した後は、記録媒体当接部の、記録媒体との当接が解除される。すると、第１揺動部材では、第１支点を中心として第１回転軸が回転して、第１当接部が揺動され、第１揺動部材が第２位置に配置される。また、第１当接部の揺動に第２揺動部材の第２当接部が追従するので、第２揺動部材では、第２支点を中心として第２回転軸が回転して、記録媒体案内部が揺動され、第２揺動部材が離間位置に配置される。
【００２６】
その結果、第１揺動部材および第２揺動部材を簡易に形成しつつ、確実な動作を確保することができる。
【００２７】
請求項３に記載の発明によれば、記録媒体案内部において、記録媒体は、可撓性部材を通過して、像担持体に搬送される。そのため、記録媒体を像担持体に確実に密着させることができる。
【００２８】
請求項４に記載の発明によれば、第２当接部が自重によって係止部に当接する。そのため、常には、第２揺動部材は、第２当接部の自重によって離間位置に配置される。一方、記録媒体が記録媒体当接部と当接すると、第１揺動部材は、第１位置に位置されるので、第２揺動部材は、第２当接部の自重によって係止部に追従して、近接位置に配置される。
【００２９】
そのため、第１当接部と第２当接部との連結手段を不要とした簡易な構成により、第１揺動部材の揺動に連動させて、第２揺動部材を、近接位置または離間位置に揺動させることができる。
【００３０】
請求項５に記載の発明によれば、Ｌ１・Ｆ１＜Ｌ２・Ｆ２を満足するので、常には、第２揺動部材を、第２当接部の自重によって、確実に第１当接部に当接させることができる。
【００３１】
請求項６に記載の発明によれば、記録媒体が第１揺動部材を通過した後、記録媒体当接部の、記録媒体との当接が解除されると、第１揺動部材が、第１支点を中心とする第１回転軸の回転により、揺動して、被規制部材が規制部材に当接することにより、第２位置に配置される。そのため、第１揺動部材を特定の第２位置に配置することができるとともに、第２揺動部材を特定の離間位置に配置することができる。
【００３２】
請求項７に記載の発明によれば、記録媒体が第１揺動部材を通過するときに、第１回転軸が第１支点を中心として回転すると、第１当接部の突起部が、第２当接部の受入溝を、第２位置から第１位置へ向かう方向と対応する方向へスライドされる。すると、第２回転軸が第２支点を中心として回転し、第２揺動部材が近接位置に配置される。一方、記録媒体が第１揺動部材を通過した後、第１回転軸が第１支点を中心として回転すると、第１当接部の突起部が、第２当接部の受入溝を、第１位置から第２位置へ向かう方向と対応する方向へスライドされる。すると、第２回転軸が第２支点を中心として回転し、第２揺動部材が離間位置に配置される。
【００３３】
そのため、簡易な構成により、第１揺動部材を第１位置または第２位置に確実に配置させることができるとともに、第２揺動部材を近接位置または離間位置に確実に配置させることができる。
【００３４】
請求項８に記載の発明によれば、第１回転軸の回転により、検知部が、検知位置に対して重複または離間するように、第１位置と第２位置との間を揺動する。そのため、検知手段によって、検知部の検知位置に対する重複状態または離間状態を検知すれば、像担持体への画像の書き込み開始のタイミングを検知することができる。これによって、第２揺動部材の揺動による記録媒体の像担持体への確実な案内と、像担持体への画像の書き込み開始のタイミングの検知の両方を、第１揺動部材の揺動により同時に達成することができる。
【００３５】
請求項９に記載の発明によれば、感光体カートリッジが、ケーシングに対して着脱自在に装着される。そのため、記録媒体のジャム処理や、感光体カートリッジの交換の容易化を図ることができる。
【００３６】
請求項１０に記載の発明によれば、第１揺動部材が、消耗品である感光体カートリッジに設けられることなく、ケーシングに設けられているので、感光体カートリッジのコストの低減化を図ることができる。また、感光体カートリッジに第１揺動部材を設けると、感光体カートリッジの着脱時に、第１揺動部材が損傷するおそれがある。しかし、第１揺動部材をケーシングに設ければ、かかる損傷のおそれを回避することができる。
【００３７】
請求項１１に記載の発明によれば、第２揺動部材が、感光体カートリッジに設けられている。そのため、像担持体に対する第２揺動部材の近接位置および離間位置の位置精度を向上させることができる。その結果、記録媒体に対する現像剤像の確実な転写を達成することができる。
【００３８】
請求項１２に記載の発明によると、感光体カートリッジには、ケーシングに設けられる第１揺動部材の揺動に連動して揺動する第２揺動部材が設けられている。そして、記録媒体の通過時に第１揺動部材が第１位置に配置されると、第２揺動部材は近接位置に配置される。また、記録媒体の非通過時に第１揺動部材が第２位置に配置されると、第２揺動部材は離間位置に配置される。そのため、部品点数の低減化および構成の簡略化を図ることができながら、記録媒体に対する現像剤像の確実な転写を達成することができる。
【発明を実施するための最良の形態】
【００３９】
１．レーザプリンタの全体構成
図１は、本発明の画像形成装置としてのレーザプリンタの一実施形態を示す要部側断面図である。図２は、プロセスカートリッジの側断面図である。
【００４０】
図１において、レーザプリンタ１は、ケーシングとしての本体ケーシング２内に、記録媒体としての用紙３を給紙するための給紙部４や、給紙された用紙３に画像を形成するための画像形成部５などを備えている。
（１）本体ケーシング
本体ケーシング２において、一方側の側壁には、プロセスカートリッジ１６を着脱するための着脱開口部６が形成されており、その着脱開口部６を開閉するためのフロントカバー７が設けられている。
【００４１】
フロントカバー７は、その下端部に挿通される図示しないカバー軸に回動自在に支持されている。フロントカバー７を、カバー軸を中心として閉じると、フロントカバー７によって着脱開口部６が閉鎖される。フロントカバー７を、カバー軸を支点として開くと（傾倒させると）、着脱開口部６が開放される。開放された着脱開口部６を介して、プロセスカートリッジ１６を本体ケーシング２に対して着脱させることができる。
【００４２】
なお、以下の説明では、レーザプリンタ１およびプロセスカートリッジ１６において、フロントカバー７が設けられる側を「前側」とし、その反対側を「後側」とする。また、図１の紙面手前側を「左側」とし、紙面奥側を「右側」とする。
（２）給紙部
給紙部４は、本体ケーシング２内の下部に設けられている。給紙部４は、着脱自在に装着される給紙トレイ８と、給紙トレイ８の前端部の上方に設けられる給紙ローラ９および分離パッド１０と、給紙ローラ９の後方に設けられるピックアップローラ１１と、給紙ローラ９の前側下方に対向配置されるピンチローラ１２と、給紙ローラ１０の後側上方に設けられる上下１対のレジストローラ１３とを備えている。
【００４３】
給紙トレイ８内には、用紙押圧板１４の上に用紙３が積層状に載置されている。最上位の用紙３は、ピックアップローラ１１の回転によって、給紙ローラ９と分離パッド１０との間に搬送され、給紙ローラ９と分離パッド１０との間に挟まれたときに、給紙ローラ９の回転によって１枚ごとに捌かれて給紙される。
【００４４】
給紙された用紙３は、給紙ローラ９とピンチローラ１２との間を通過して、レジストローラ１３に搬送される。
【００４５】
レジストローラ１３は、用紙３を、レジスト後に、画像形成部５の接触位置としての転写位置（感光ドラム２３と転写ローラ２６とのニップ位置、以下同じ。）へ搬送する。
【００４６】
なお、本体ケーシング２には、レジストローラ１３から転写位置を通過して定着部１７へ至る用紙３の搬送経路に沿って、用紙案内板５５が設けられている。用紙案内板５５は、平面視平板形状に形成され、給紙トレイ８の上方において前後方向に沿って設けられている。
【００４７】
用紙案内板５５には、後述するドラムカートリッジ２１の転写ローラ収容部２９を受ける凹部５６が、前後方向途中において幅方向（左右方向、以下同じ。）に沿って形成されている。
【００４８】
用紙案内板５５は、その前端部から凹部５６までが、レジストローラ１３から転写位置まで用紙３を搬送する前側案内板５７として区画されている。前側案内板５７は、後方に向かうに従って下方へ傾斜するように配置されている。前側案内板５７の後端部から凹部５６の前端部にかけては、前後方向に延びる本体側スリット５９（図７参照）が開口されている。この本体側スリット５９は、用紙案内板５５の幅方向中央に配置され、平面視略矩形状に形成されている。
【００４９】
また、凹部５６から用紙案内板５５の後端部までが、転写位置から定着部１７まで用紙３を搬送する後側案内板５８として区画されている。後側案内板５８は、後方に向かうに従って上方へ傾斜するように配置されている。
【００５０】
レジストローラ１３から搬送される用紙３は、前側案内板５７によって、転写位置へ向けて案内される。
（３）画像形成部
画像形成部５は、スキャナ部１５、プロセスカートリッジ１６および定着部１７を備えている。
（３−１）スキャナ部
スキャナ部１５は、本体ケーシング２内の上部に設けられている。スキャナ部１５は、図示しないレーザ光源、回転駆動されるポリゴンミラー１８、レンズ１９および反射鏡２０を備えている。レーザ光源から発光される画像データに基づくレーザビームは、破線で示すように、ポリゴンミラー１８で偏向されて、レンズ１９および反射鏡２０を通過または反射した後、プロセスカートリッジ１６の感光ドラム２３の表面上に照射される。
（３−２）プロセスカートリッジ
プロセスカートリッジ１６は、スキャナ部１９の下方において、本体ケーシング２に対して着脱自在に装着されている。
【００５１】
プロセスカートリッジ１６は、本体ケーシング２に対して着脱自在に装着される感光体カートリッジとしてのドラムカートリッジ２１と、ドラムカートリッジ２１に対して着脱自在に装着される現像カートリッジ３２とを備えている。
（３−２−１）ドラムカートリッジ
図２に示すように、ドラムカートリッジ２１は、ドラムフレーム２２と、そのドラムフレーム２２に設けられる、像担持体としての感光ドラム２３、スコロトロン型帯電器２４、クリーニングブラシ２５および転写部材としての転写ローラ２６とを備えている。
【００５２】
ドラムフレーム２２は、図５に示すように、前後方向に延びるように形成されており、その前側部分が、現像カートリッジ３２を収容する現像カートリッジ収容部２７として区画されている。また、その後側部分が、感光ドラム２３を収容する感光ドラム収容部２８として区画されている。また、ドラムフレーム２２には、図２および図５に示すように、感光ドラム収容部２８の下方において、転写ローラ２６を収容する転写ローラ収容部２９が設けられている。また、ドラムフレーム２２には、図２に示すように、感光ドラム収容部２８の後側上方において、スコロトロン型帯電器２４を支持するための帯電器支持部３１が設けられている。
【００５３】
さらに、ドラムフレーム２２には、図２および図５に示すように、用紙３を転写位置に案内するためのシュート板３０が設けられている。
【００５４】
シュート板３０は、現像カートリッジ収容部２７の後側部分の底壁として区画されている。シュート板３０は、転写ローラ収容部２９の前端部から間隔を隔てて配置され、前後方向に沿って延び、前方に向かうに従って下方に傾斜するように設けられている。また、シュート板３０は、現像カートリッジ収容部２７の前側部分の底壁よりも、一段低く形成されており、シュート板３０の前端部と、現像カートリッジ収容部２７の前側部分の底壁との間には、用紙３をドラムカートリッジ２１内へ搬入するための用紙搬入口４６が形成されている。
【００５５】
また、シュート板３０の、本体側スリット５９と対向する部分には、ドラム側スリット５３が形成されている。ドラム側スリット５３は、シュート板３０の幅方向中央に配置され、平面視略矩形状に形成されている。
【００５６】
また、転写ローラ収容部２９の、転写位置と前後方向に対向する後端部には、用紙３を転写位置から搬出するための用紙搬出口４７が形成されている。
【００５７】
ドラムフレーム２２の本体ケーシング２に対する装着状態では、図１に示すように、転写ローラ収容部２９およびシュート板３０が、用紙案内板５５の凹部５６に受け入れられている。また、現像カートリッジ収容部２７の底壁の前側部分が、前側案内板５７とわずかな間隔を隔てて対向配置される。
【００５８】
また、用紙搬出口４７が、前側案内板５７の後方において、その前側案内板５７と前後方向において対向配置されている。また、用紙搬出口４７が、後側案内板５８の前方において、その後側案内板５８と前後方向において対向配置されている。
【００５９】
感光ドラム２３は、図２に示すように、ドラム収容部２８内に配置されている。感光ドラム２３は、ドラム本体３３と、ドラム軸３４とを備えている。
【００６０】
ドラム本体３３は、円筒形状に形成され、最表層がポリカーボネートなどからなる正帯電性の感光層により形成されている。
【００６１】
ドラム軸３４は、ドラム本体３３の軸心に配置され、ドラム本体３３の軸線方向に延び、ドラム収容部２８の左右側壁に回転不能に支持されている。一方、ドラム軸３４は、ドラム本体３３を相対回転可能に支持している。これによって、ドラム本体３３がドラム軸３４に対して回転自在に支持される。
【００６２】
ドラム本体３３は、図示しないが、接地されており、画像形成時には、本体ケーシング２に設けられるモータ（図示せず）からの駆動力により回転駆動される。
【００６３】
スコロトロン型帯電器２４は、感光ドラム２３の後側斜め上方において、帯電器支持部３１に支持されている。スコロトロン型帯電器２４は、感光ドラム２９と間隔を隔てて対向配置されている。このスコロトロン型帯電器２４には、画像形成時に、高電圧が印加され、ドラム本体３３の表面が一様に正極性に帯電される。
【００６４】
クリーニングブラシ２５は、感光ドラム２３の後方において、ドラム収容部１０２に支持されている。クリーニングブラシ２５は、幅方向に沿って延びる略矩形細長形状の支持板に多数のブラシが植設されている。クリーニングブラシ２５は、ドラム本体３３の表面にブラシが幅方向に沿って接触するように、感光ドラム２３に対して前後方向に対向配置されている。クリーニングブラシ２５には、画像形成時に、クリーニングバイアスが印加される。
【００６５】
転写ローラ２６は、感光ドラム２３の下方から、感光ドラム２３と接触可能に対向配置され、転写ローラ収容部２９内に配置されている。転写ローラ２６は、ローラ軸３６と、ゴムローラ３５を備えている。ローラ軸３６は、金属材料から形成されており、転写ローラ収容部２９の左右側壁において、回転自在に支持されている。ゴムローラ３５は、イオン導電性のゴム材料から形成されており、ローラ軸３６の周りを被覆するように設けられている。
【００６６】
ローラ軸３６には、画像形成時に、本体ケーシング２に設けられるモータ（図示せず）からの駆動力が伝達され、転写ローラ２６は、その駆動力により回転駆動される。また、ローラ軸３６には、画像形成時に、転写バイアスが印加される。
（３−２−２）現像カートリッジ
現像カートリッジ３２は、ドラムカートリッジ２１の現像カートリッジ収容部２７に対して、着脱自在に設けられている。
【００６７】
現像カートリッジ３２は、現像フレーム３７と、その現像フレーム３７内に設けられる、アジテータ３８、供給ローラ３９、現像ローラ４０および層厚規制ブレード４１と、を備えている。
【００６８】
現像フレーム３７は、後方が開放されるボックス状に形成されている。現像フレーム３７は、隔壁４２によって、前側のトナー収容室４３と後側の現像室４４とに区画されている。隔壁４２には、トナー収容室４３と現像室４４とを連通する連通口４５が形成されている。
【００６９】
トナー収容室４３には、現像剤として、トナーが収容されている。トナーとしては、正帯電性の非磁性１成分の重合トナーが用いられている。重合トナーは、略球形に形成されており、流動性に優れている。
【００７０】
アジテータ３８は、トナー収容室４３内に設けられている。画像形成時において、アジテータ３８は、本体ケーシング２に設けられるモータ（図示せず）からの駆動力により回転駆動される。
【００７１】
供給ローラ３９は、現像室４４内において、連通口４５の後方に設けられている。画像形成時において、供給ローラ３９は、本体ケーシング２に設けられるモータ（図示せず）からの駆動力により回転駆動される。
【００７２】
現像ローラ４０は、現像室４４内において、供給ローラ３９の後方に設けられている。現像ローラ４０と供給ローラ３９とは、互いに圧接するように配置されている。画像形成時において、現像ローラ４０は、本体ケーシング２に設けられるモータ（図示せず）からの駆動力により回転駆動される。また、現像ローラ４０には、画像形成時に、現像バイアスが印加される。
【００７３】
層厚規制ブレード４１は、現像室４４内において、現像ローラ４０の前方側方から圧接するように設けられている。
（３−２−３）プロセスユニットの動作
現像カートリッジ３２では、トナー収容室４３に収容されているトナーが、アジテータ３８によって攪拌されながら、連通口４５を介して現像室４４へ放出される。
【００７４】
放出されたトナーは、供給ローラ３９に供給される。供給ローラ３９に供給されたトナーは、供給ローラ３９の回転により、現像ローラ４０に供給され、このとき、供給ローラ３９と、現像バイアスが印加されている現像ローラ４０との間で正極性に摩擦帯電される。現像ローラ４０に供給されたトナーは、現像ローラ４０の回転に伴って、層厚規制ブレード４１と現像ローラ４０との間に進入し、その後、現像ローラ４０の表面に、薄層として担持される。
【００７５】
一方、ドラム本体３３の表面は、ドラム本体３３の回転に伴なって、スコロトロン型帯電器２４により一様に正帯電された後、スキャナ部１９からのレーザビームの高速走査により露光され、用紙３に形成すべき画像に対応した静電潜像が形成される。
【００７６】
さらにドラム本体３３が回転すると、現像ローラ４０の表面に担持されかつ正帯電されているトナーが、現像ローラ４０の回転により、ドラム本体３３と対向して接触するときに、ドラム本体３３の表面に形成されている静電潜像、すなわち、一様に正帯電されているドラム本体３３の表面のうち、レーザビームによって露光され電位が下がっている露光部分に供給される。これにより、ドラム本体３３の静電潜像は、可視像化され、ドラム本体３３の表面には、反転現像による現像剤像としてのトナー像が担持される。
【００７７】
一方、レジストローラ１３から搬送されてくる用紙３は、前側案内板５７を通過した後、用紙搬入口４６からドラムカートリッジ２１内に搬入され、シュート板３０を通過して転写位置に案内される。
【００７８】
トナー像が担持されたドラム本体３３がさらに回転して、転写ローラ２６が転写位置において対向すると、トナー像は、シュート板３０から案内される用紙３が転写位置を通過
する間に、ドラム本体３３とゴムローラ３５との間で挟まれて、ローラ軸３６に印加されている転写バイアスによって、用紙３に転写される。トナー像が転写された用紙３は、用紙搬出口４７からドラムカートリッジ２１外に搬出され、後側案内板５８を通過した後、定着部２１に搬送される。
【００７９】
さらにドラム本体３３が回転し、クリーニングブラシ２５と対向すると、転写後にドラム本体３３の表面に付着する用紙３からの紙粉が、クリーニングブラシ２５のクリーニングバイアスによって吸引されながら、ブラシによって絡め取られる。なお、転写後にドラム本体３３の表面に残存する転写残トナーは、現像ローラ４０に回収される。
（３−３）定着部
定着部１７は、図１に示すように、本体ケーシング２内において、プロセスカートリッジ１６の後方に設けられている。定着部１７は、加熱ローラ４８および加圧ローラ４９を備えている。
【００８０】
加熱ローラ４８は、金属素管と、その金属素管内に設けられるハロゲンランプとを備え、図示しないモータからの駆動力により回転駆動される。加圧ローラ４９は、加熱ローラ４８を下方から押圧するように、加熱ローラ４８と対向配置されている。この加圧ローラ４９は、加熱ローラ４８の回転駆動に従って従動される。
【００８１】
定着部１７では、転写位置において用紙３上に転写されたトナー像を、用紙３が加熱ローラ４８と加圧ローラ４９との間を通過する間に熱定着させる。
【００８２】
トナーが定着された用紙３は、本体ケーシング２の上面に向かって上下方向に延びた排紙パス５０に搬送される。排紙パス５０に搬送された用紙３は、排紙パス５０の下流側端部に設けられる排紙ローラ５１によって、本体ケーシング２の上面に形成された排紙トレイ５２上に排紙される。
２．転写位置案内機構
このレーザプリンタ１は、用紙３を転写位置に案内するための転写位置案内機構６１が設けられている。
【００８３】
図３は、ドラムカートリッジおよび用紙案内板の側断面図（非転写時）である。図４は、ドラムカートリッジおよび用紙案内板の側断面図（転写時）である。図５は、ドラムフレームおよび用紙案内板の平面視側斜視図（非転写時）である。図６は、ドラムフレームおよび用紙案内板の平面視側斜視図（転写時）である。図７は、用紙案内板の平面視側斜視図（転写時）である。図８は、用紙案内板の底面視側斜視図（転写時）である。図９は、転写位置案内機構の要部動作図（非転写時）である。図１０は、転写位置案内機構の要部動作図（転写時）である。以下、図３ないし図１０を参照して、転写位置案内機構６１を説明する。
【００８４】
転写位置案内機構６１は、図３に示すように、第１揺動部材６２および第２揺動部材６３を備えている。
（１）第１揺動部材
第１揺動部材６２は、図３および図８に示すように、転写位置側へ向かう用紙３を、転写位置に至る途中の第２揺動部材６３へ案内するために設けられており、転写位置に対して前方に配置され、用紙案内板５５において揺動自在に支持されている。第１揺動部材６２は、第１回転軸６４、記録媒体当接部としての用紙当接部６５、第１当接部６６、検知部としてのセンサアーム６７、および、被規制部材としての揺動規制突起６８を備えている。
【００８５】
第１回転軸６４は、図８に示すように、前側案内板５７の下方において、幅方向に沿って配置されている。
【００８６】
より具体的には、用紙案内板５５の下面には、幅方向途中であって、本体側スリット５９の右側に、本体側スリット５９と幅方向において対向する右側軸受部６９が設けられている。また、用紙案内板５５の左側端部には、下方に延びる側板８０が設けられている。その側板８０には、右側軸受部６９と幅方向において対向する左側軸受部７０が設けられている。
【００８７】
第１回転軸６４の右側端部は、右側軸受部６９によって回転自在に支持されている。第１回転軸６４の途中部分は、左側軸受部７０に挿通され、その左側軸受部７０によって回転自在に支持されている。第１回転軸６４の左側端部は、左側軸受部７０（用紙案内板５５の左側端部）から、さらに左方に突出されている。
【００８８】
これによって、第１回転軸６４は、幅方向に沿って配置され、その右側端部が前側案内板５７の幅方向途中まで延び、その左側端部が前側案内板５７の左側端部から左方に突出して延び、右側軸受部６９および左側軸受部７０において、回転自在に支持されている。また、第１回転軸６４は、平面視において、本体側スリット５９を直交方向に横切るように配置されている。第１回転軸６４は、右側軸受部６９および左側軸受部７０に支持され、第１回転軸６４の軸心を第１支点として、その軸心周りに回転される。
【００８９】
用紙当接部６５は、図３および図７に示すように、第１回転軸６４から径方向外方に突出するように設けられている。用紙当接部６５は、本体側スリット５９よりやや幅狭の細長平板片からなり、第１回転軸６４において、本体側スリット５９と対向する部分に設けられている。用紙当接部６５は、第１回転軸６４から本体側スリット５９を介して前側案内板５７の上面よりも突出するように設けられている。これによって、用紙当接部６５は、常には、前側案内板５７上の用紙３の搬送経路に臨むように配置される。
【００９０】
第１当接部６６は、図３および図８に示すように、用紙当接部６５とは異なる方向、より具体的には、用紙当接部６５に対して鈍角（たとえば、１００〜１３０°）となる角度で、第１回転軸６４から径方向外方に突出するように設けられている。
【００９１】
第１当接部６６は、用紙当接部６５とほぼ同幅の細長平板片からなり、第１回転軸６４において、本体側スリット５９と対向する部分、すなわち、用紙当接部６５と同じ幅方向位置に設けられている。
【００９２】
第１当接部６６は、側面視略Ｊ字形状に形成されている。より具体的には、第１当接部６６は、第１回転軸６４から径方向外方に真っ直ぐに突出する突出部としての突出杆７１と、その突出杆７１の遊端部から第２当接部８３（後述）に向かって鋭角（たとえば、３０〜６０°）に屈曲する係止部としての係止片７２とを備えている。係止片７２は、突出杆７１より短く形成されており、その遊端部が側面視円形状に丸みを帯びている。
【００９３】
センサアーム６７は、図８に示すように、第１回転軸６４の左側端部に設けられている。センサアーム６７は、第１回転軸６４の左側端部に設けられるアーム部７３と、そのアーム部７３の遊端部に設けられる遮光片７４とを備えている。
【００９４】
アーム部７３は、図９および図１０に示すように、側面視において、用紙当接部６５とは異なる方向、より具体的には、用紙当接部６５に対して鋭角（たとえば、５〜４５°）となる角度で、第１回転軸６４の左側端部から径方向外方に真っ直ぐに突出するように設けられている。
【００９５】
遮光片７４は、図５に示すように、平面視略Ｌ字形状に形成されている。遮光片７４は、アーム部７３の遊端部から左側にわずかに延びた後、前後方向に沿って屈曲して、第１回転軸６４を中心として周方向に延びる円弧形状に形成されている。
【００９６】
遮光片７４は、図９および図１０に示すように、第１回転軸６４の回転により、第１回転軸６４を揺動中心として、周方向に揺動される。
【００９７】
一方、本体ケーシング２には、遮光片７４が進退自在に介在される検知手段としてのフォトセンサ７５が設けられている。
【００９８】
フォトセンサ７５は、図５および図６に示すように、幅方向においては、遮光片７４と同じ位置に配置され、前後方向においては、第１回転軸６４の回転により遮光片７４が進退自在に介在するように配置されている。
【００９９】
フォトセンサ７５は、正面視略コ字形状に形成されており、上下方向に互いに間隔を隔てて対向配置される発光素子７６および受光素子７７を備えている。このフォトセンサ７５では、発光素子７６と受光素子７７との間が、検知光を検知するための検知位置Ｐ（図９および図１０参照）とされている。
【０１００】
遮光片７４は、図９に示すように、第１回転軸６４の回転により、発光素子７６と受光素子７７との間から退避する退避位置と、図１０に示すように、発光素子７６と受光素子７７との間へ進出する進出位置とに揺動される。
【０１０１】
遮光片７４が、図９に示すように、退避位置に配置されると、遮光片７４は検知位置Ｐから離間しており、発光素子７６から発光される検知光は、受光素子７７によって受光される。
【０１０２】
遮光片７４が、図１０に示すように、進出位置に配置されると、遮光片７４は検知位置Ｐと重複しており、発光素子７６から発光される検知光は、遮光片７４によって遮光され、受光素子７７による受光が阻止される。
【０１０３】
揺動規制突起６８は、図８に示すように、略矩形平板に形成されており、第１回転軸６４において、左側軸受部７０の右側近傍に設けられている。揺動規制突起６８は、図９および図１０に示すように、側面視において、用紙当接部６５とは異なる方向、より具体的には、用紙当接部６５に対して鈍角（たとえば、１２０〜１８０°）となる角度で、第１回転軸６４から径方向外方に突出するように設けられている。
【０１０４】
一方、用紙案内板５５の下面には、図８に示すように、揺動規制突起６８と当接可能な規制部材としてのストッパ７８が設けられている。ストッパ７８は、左側軸受部７０の右側近傍であって、幅方向において、揺動規制突起６８と同じ位置に設けられている。ストッパ７８は、前後方向に沿って延びる平面視略矩形状に形成されている。ストッパ７８は、図９に示すように、第１回転軸６４の回転により、用紙当接部６５が上下方向に直立するように配置されたときに、揺動規制突起６８と当接する角度で、用紙案内板５５の下面に設けられている。
【０１０５】
また、第１揺動部材６２には、第１揺動部材６２を付勢して、常には第２位置としての非通過位置に配置させるための付勢手段としてのばね７９が設けられている。
【０１０６】
ばね７９は、図８に示すように、コイルばね（引張ばね）からなり、用紙案内板５５の左側端部の側板８０とストッパ７８との間において、前後方向に沿って配置されている。
【０１０７】
ばね７９の一端部は、第１回転軸６４から揺動規制突起６８とほぼ同一径方向に突出するばね係止部（図示せず）に係止されている。
【０１０８】
ばね７９の他端部は、用紙案内板５５の左側端部の側板８０に係止されている。
【０１０９】
第１揺動部材６２は、ばね７９の付勢力によって、常には、図９において、第１回転軸６４が時計回りに回転される方向に付勢される。これによって、第１揺動部材６２は、常には（用紙３の非通過時には）、第１回転軸６４の時計回りの回転により、揺動規制突起６８とストッパ７８とが当接する非通過位置に配置される。揺動規制突起６８のストッパ７８に対する当接により、第１回転軸６４の非通過位置を超過する時計回りの回転が規制される。
【０１１０】
第１揺動部材６２が非通過位置に配置されると、図３に示すように、用紙当接部６５は、直立して、本体側スリット５９を介して前側案内板５７から上方へ突出し、ドラム側スリット５３に受け入れられる（図５参照）。また、第１当接部６６は、突出杆７１が後方に向かって延びるように配置される。さらに、センサアーム６７は、図９に示すように、遮光片７４が退避位置に位置するように、配置される。
（２）第２揺動部材
第２揺動部材６３は、図３に示すように、第１揺動部材６２から案内された用紙３を感光ドラム２３へ案内するために設けられており、前後方向において、第１揺動部材６２から転写位置へ至る途中に配置され、シュート板３０において揺動自在に支持されている。第２揺動部材６３は、図３および図５に示すように、第２回転軸８１と、第２回転軸８１から後方に向かって突出する記録媒体案内部材としての転写案内部８２と、第２回転軸８１から前方に向かって突出する第２当接部８３を備えている。
【０１１１】
第２回転軸８１は、シュート板３０の後端部に設けられる軸支持部８４に回転自在に支持されている。
【０１１２】
軸支持部８４は、シュート板３０の幅方向中央の、ドラム側スリット５３の後端部に設けられている。軸支持部８４は、ドラム側スリット５３を幅方向に挟んで設けられている。
【０１１３】
第２回転軸８１は、幅方向においてドラム側スリット５３よりもやや長く形成されている。第２回転軸８１は、各軸支持部８４に挿通され、第２回転軸８１の軸心を第２支点として、その軸心周りに回転される。
【０１１４】
転写案内部８２は、第２回転軸８１から定着位置側に向けて延出される案内支持部８５と、案内支持部８５の後端部にその前端部を支持されてその後端部が転写位置側に向かって案内支持部８５から突出する可撓性部材としてのフィルム部材８６とを備えている。
【０１１５】
案内支持部８５は、幅方向に延びる平面視平板形状に形成されている。案内支持部８５の前端部は、シュート板３０の後端部と対向配置されている。案内支持部８５の前端部中央は、取付板８７を介して第２回転軸８１に固定されている。案内支持部８５の後端部は、第２回転軸８１と感光ドラム２３との途中まで延びており、感光ドラム２３と間隔を隔てて対向配置されている。
【０１１６】
フィルム部材８６は、案内支持部８５の幅方向中央で間隔を隔てて、幅方向両端部に２つ設けられている。各フィルム部材８６は、樹脂フィルムなどの可撓性フィルムからなり、平面視略長方形に形成されている。各フィルム部材８６の前端部は、案内支持部８５の後端部の上面に、幅方向に沿って貼着されている。各フィルム部材８６の後端部は、感光ドラム２３に向かって延びるように突出して配置されている。
【０１１７】
第２当接部８３は、ドラム側スリット５３よりもやや幅狭の、前後方向に延びる平面視略矩形状に形成されている。第２当接部８３は、ドラム側スリット５３内に配置されており、第２当接部８３の後端部は、取付板８７を介して第２回転軸８１に固定されている。第２当接部８３は、第２回転軸８１から第１当接部６６に向かって突出され、その前側部分には、第１揺動部材６２の係止片７２が下方から当接自在に設けられている。
【０１１８】
第２揺動部材６３において、転写案内部８２と第２当接部８３とは、第２回転軸８１に対して、側面視略逆Ｖ字形状に形成されている。
【０１１９】
また、図９に示すように、第２回転軸８１から案内支持部８５の後端部までの距離をＬ１とし、その後端部にかかる案内支持部８５の自重をＦ１とし、第２回転軸８１から第２当接部８３の前端部までの距離をＬ２とし、その前端部にかかる第２当接部８３の荷重をＦ２としたときに、次式：Ｌ１・Ｆ１＜Ｌ２・Ｆ２を満足するように、第２揺動部材６３が形成されている。
【０１２０】
これによって、第２揺動部材６３では、第２回転軸８１を中心として、転写案内部８２が上方へ揺動し、第２当接部８３が下方へ揺動するように、常には、図９において、第２回転軸８１が時計回りに回転される方向に付勢される。これによって、第２当接部８３は、自重によって第１揺動部材６２の係止片７２に上方から当接自在に設けられている。
【０１２１】
一方、第１揺動部材６２は、上記したように、ばね７９の付勢力によって図９に示すような非通過位置に配置されているため、第１当接部６６は、突出杆７１が後方に向かって延び、係止片７２が上方に向かって突出するように配置されている。
【０１２２】
そのため、第２揺動部材６３は、第１揺動部材６２が非通過位置に配置されているときには、フィルム部材８６が感光ドラム２３から離間する離間位置に配置される。第２揺動部材６３が離間位置に配置されると、図３に示すように、転写案内部８２は、第２回転軸８１から後方に向かってやや下向きに突出するように配置される。フィルム部材８６の後端部は、感光ドラム２３から離間して転写ローラ２６と対向配置される。また、第２当接部８３は、第２回転軸８１から前方に向かって略水平方向に突出するように配置される。第２当接部８３の前端部は、第１回転軸６４と対向配置される。また、第２当接部８３の前後方向中央が、係止片７２に上方から当接する。
（３）転写位置案内機構の動作
上記したように、用紙３が通過していないときは、第１揺動部材６２は、非通過位置に配置され、第２揺動部材６３は、感光ドラム２３から離間した離間位置に配置されている。
【０１２３】
そして、レジストローラ１３から用紙３が搬送されてくると、その用紙３の搬送方向先端（以下、単に「先端」とする。）は、図９に示すように、直立している用紙当接部６５に当接する。すると、用紙３によって用紙当接部６５が用紙搬送方向下流側に向かって押圧され、第１回転軸６４が、ばね７９の付勢力に抗して反時計回りに回転される。
【０１２４】
すると、図１０に示すように、用紙当接部６５が、第１回転軸６４を中心として傾倒するように、後方に向かって揺動されるので、用紙３は、その傾倒した用紙当接部６５を乗り越えて、感光ドラム２３に向かって搬送される。
【０１２５】
これによって、第１揺動部材６２は、非通過位置から第１位置としての通過位置へ揺動される。
【０１２６】
用紙３が用紙当接部６５を乗り越えて通過している間は、第１揺動部材６２は、通過位置に配置される。第１揺動部材６２が通過位置に配置されると、図４に示すように、用紙当接部６５は、後方へ傾倒して、その上方に用紙３が通過可能な空間が形成される。また、第１当接部６６は、突出杆７１が下方に向かって延びるように配置される。さらに、センサアーム６７は、図１０に示すように、遮光片７４が進出位置に位置するように、配置される。
【０１２７】
遮光片７４が進出位置に配置されると、遮光片７４は、検知光の光路において検知位置Ｐと重複するので、受光素子７７による受光が阻止される。フォトセンサ７５では、受光素子７７により受光が阻止されたことを、遮光信号として、本体ケーシング２に設けられる図示しないＣＰＵに入力する。遮光信号は、用紙３が用紙当接部６５と当接している間、ＣＰＵに入力される。
【０１２８】
ＣＰＵでは、遮光信号が入力されたタイミングで、スキャナ部１５を制御して、レーザビームの高速走査を開始する。これによって、用紙３が感光ドラム２３と接触するまでの間に、感光ドラム２３に静電潜像が形成され、次いで、その静電潜像が現像されて、感光ドラム２３にトナー像が担持される。
【０１２９】
一方、第２揺動部材６３においては、第２当接部８３が自重によって係止片７２に当接しているので、第１揺動部材６２の揺動により突出杆７１が下方へ揺動されるに従って、係止片７２が、下方へ揺動され、これに追従して、第２当接部８３が自重により下方へ揺動される。すると、第２回転軸８１が時計回りに回転するので、第２揺動部材６３も、第１揺動部材６２の揺動に連動して、離間位置から近接位置へ揺動される。
【０１３０】
つまり、用紙３が用紙当接部６５を乗り越えて通過している間は、第２揺動部材６３は、近接位置に配置される。第２揺動部材６３が近接位置に配置されると、図４に示すように、転写案内部８２は、第２回転軸８１から後方に向かって上向きに突出するように配置される。フィルム部材８６の後端部は、感光ドラム２３に近接して配置され、転写位置よりも前方で感光ドラム２３と対向配置される。また、第２当接部８３は、第２回転軸８１から前方に向かって斜め下向きに突出するように配置される。第２当接部８３の前端部は、突出杆７１の遊端部と対向配置される。また、第２当接部８３の前端部が、係止片７２に上方から当接する。
【０１３１】
そのため、用紙当接部６５を乗り越えた用紙３の先端は、フィルム部材８６によって案内されて、転写位置よりも上流側で感光ドラム２３と接触する。これによって、用紙３は、転写位置よりも上流側において、感光ドラム２３との間で隙間を形成することなく、密着した状態で、転写位置に搬送される。
【０１３２】
その後、用紙３の搬送方向後端（以下、単に「後端」とする。）が、用紙当接部６５を乗り越えると、用紙３の用紙当接部６５に対する押圧力が除去される。すると、第１回転軸６４が、ばね７９の付勢力によって時計回りに回転される。これによって、第１揺動部材６２は、通過位置から非通過位置へ揺動され、再度、図３に示すように、非通過位置に配置される。
【０１３３】
また、第２揺動部材６３においても、第１揺動部材６２の揺動により突出杆７１が上方へ揺動されるに従って、係止片７２が、第２当接部８３に対して後方へ摺動しながら、上方へ揺動され、この係止片７２の押圧力に追従して、第２当接部８３が自重に抗して上方へ揺動される。すると、第２回転軸８１が反時計回りに回転するので、第２揺動部材６３も、第１揺動部材６２の揺動に連動して、近接位置から離間位置へ揺動され、再度、図３
に示すように、離間位置に配置される。
【０１３４】
第２揺動部材６３が離間位置に配置されると、遮光片７４が退避位置に配置される。すると、遮光片７４は、検知位置Ｐから離間するので、検知光が受光素子７７により受光される。フォトセンサ７５では、受光素子７７により検知光が受光されたことを、透過信号として、本体ケーシング２に設けられる図示しないＣＰＵに入力する。透過信号は、用紙３が用紙当接部６５と当接していない間、ＣＰＵに入力される。
【０１３５】
ＣＰＵには、用紙３が用紙当接部６５と当接していない間、透過信号が入力されており、用紙３が用紙当接部６５と当接すると、遮光信号が入力される。つまり、ＣＰＵには、用紙３が通過する毎に、遮光信号が入力されるので、その遮光信号が入力されたタイミングで、スキャナ部１５を制御して、レーザビームの高速走査を開始する。
【０１３６】
また、第２揺動部材６３が離間位置に配置されると、フィルム部材８６が感光ドラム２３から離間して、そのフィルム部材８６の後端部が、転写ローラ２６と対向配置される。
３．転写位置案内機構の作用効果
（１）転写位置案内機構６１では、レジストローラ１３から用紙３が搬送されてくると、その用紙３は、まず、用紙当接部６５を乗り越えて通過する。用紙３が用紙当接部６５を通過しているときには、第１揺動部材６２が第１回転軸６４を中心として揺動して、通過位置に配置される。
【０１３７】
次いで、用紙３の先端は、フィルム部材８６を通過する。このとき、第２揺動部材６３は、第１揺動部材６２の揺動に連動して、第２回転軸８１を中心として揺動して近接位置に配置されている。そのため、用紙３は、フィルム部材８６に案内されながら感光ドラム２３に搬送されることになる。
【０１３８】
一方、用紙３の後端が、用紙当接部６５を通過した後は、第１揺動部材６２が第１回転軸６４を中心として揺動して非通過位置に配置されるので、第２揺動部材６３は、第１揺動部材６２の揺動に連動して、第２回転軸８１を中心として揺動して感光ドラム２３から離間する離間位置に配置される。用紙３の後端がフィルム部材８６から離れるときにも、フィルム部材８６は離間位置のままであり、用紙３の後端がフィルム部材８６の後端部を下方に押し下げることがないのでフィルム部材８６の戻りによる異音の発生を防止することができる。
【０１３９】
さらに、この転写位置案内機構６１では、用紙３の通過または非通過により、第１揺動部材６２および第２揺動部材６３を揺動させるのみであるため、センサ、モータ、さらにはＣＰＵなどの複雑な機構および制御が不要である。そのため、部品点数の低減化および構成の簡略化を図ることができる。
（２）また、転写位置案内機構６１では、用紙３は、前側案内板５７上の用紙３の搬送経路に臨む用紙当接部６５と当接する。すると、第１揺動部材６２では、第１回転軸６４が軸心周りに回転して、第１当接部６６が揺動され、第１揺動部材６２が通過位置に配置される。また、第１当接部６６の揺動に追従して、第２揺動部材６３の第２当接部８３が、係止片７２と摺動する。すると、第２揺動部材６３では、第２回転軸が軸心周りに回転して、転写案内部８２が揺動され、第２揺動部材６３は、転写案内部８２のフィルム部材８６が感光ドラム２３に近接する近接位置に配置される。
【０１４０】
一方、用紙３の後端が用紙当接部６５を通過した後は、用紙当接部６５の、用紙３との当接が解除される。すると、第１揺動部材６２では、第１回転軸６４が軸心周りに回転して、第１当接部６６が揺動され、第１揺動部材６２が非通過位置に配置される。
【０１４１】
また、第１当接部６６の揺動に追従して、第２揺動部材６３の第２当接部８３が、係止片７２と摺動する。すると、第２揺動部材６３では、第２回転軸８１が軸心周りに回転して、転写案内部８２が揺動され、第２揺動部材６３は、転写案内部８２のフィルム部材８６が感光ドラム２３から離間する離間位置に配置される。
【０１４２】
その結果、第１揺動部材６２および第２揺動部材６３を簡易に形成しつつ、確実な動作を確保することができる。
（３）また、転写位置案内機構６１では、転写案内部８２において、用紙３は、フィルム部材８６を通過して、感光ドラム２３に搬送される。そのため、用紙３を感光ドラム２３に確実に密着させることができる。
（４）また、転写位置案内機構６１では、第１揺動部材６２は、ばね７９の付勢力によって、常には、第１回転軸６４が時計回りに回転される方向に付勢される。また、第２当接部８３は自重によって係止片７２に当接する。そのため、常には、第２揺動部材６３は、第２当接部８３の自重によって離間位置に配置される。一方、用紙３が用紙当接部６５と当接すると、ばね７９の付勢力よりも大きな力で（ばね７９の付勢力に抗して）用紙３が用紙当接部６５を押圧する。その結果、第１揺動部材６２は、通過位置に位置され、第２揺動部材６３は、係止片７２の揺動に追従して揺動することによって、近接位置に配置される。
【０１４３】
そのため、第１当接部６６と第２当接部８３とを連結するための連結部材を不要とした簡易な構成により、第１揺動部材６２の揺動に連動させて、第２揺動部材６３を、近接位置または離間位置に揺動させることができる。
（５）また、転写位置案内機構６１では、第２回転軸８１から案内支持部８５の後端部までの距離をＬ１とし、その後端部にかかる案内支持部８５の自重をＦ１とし、第２回転軸８１から第２当接部８３の前端部までの距離をＬ２とし、その前端部にかかる第２当接部８３の荷重をＦ２としたときに、次式：Ｌ１・Ｆ１＜Ｌ２・Ｆ２を満足するように、第２揺動部材６３が形成されている。そのため、常には、第２揺動部材６３を、第２当接部８３の自重によって、確実に第１当接部６６に当接させることができる。
（６）また、転写位置案内機構６１では、用紙３が用紙当接部６５を通過した後、用紙当接部６５の、用紙３との当接が解除されると、第１揺動部材６２が、第１回転軸６４の軸心周りの回転により、揺動して、揺動規制突起６８がストッパ７８に当接することにより、非通過位置に配置される。そのため、第１揺動部材６２を特定の非通過位置に配置することができるとともに、第２揺動部材６３を特定の離間位置に配置することができる。
（７）また、転写位置案内機構６１では、第１回転軸６４の回転により、センサアーム６７の遮光片７４が、検知位置Ｐに対して重複または離間するように、通過位置と非通過位置との間を揺動する。そのため、フォトセンサ７５によって、遮光片７４の検知位置Ｐに対する重複状態または離間状態を検知して、その検知状態を、フォトセンサ７５から遮光信号または透過信号としてＣＰＵに入力すれば、ＣＰＵにおいて、遮光信号が入力されたタイミングで、感光ドラム２３への画像の書き込み開始のタイミングを検知することができる。そして、スキャナ部１５を制御して、遮光信号が入力されたタイミングでレーザビームの高速走査を開始すれば、用紙３に対するトナー像の確実な転写を達成することができる。その結果、第２揺動部材６３の揺動による用紙３の感光ドラム２３への確実な案内と、感光ドラム２３への画像の書き込み開始のタイミングの検知の両方を、第１揺動部材６２の揺動により同時に達成することができる。
（８）また、このレーザプリンタ１では、ドラムカートリッジ２１が、本体ケーシング２に対して着脱自在に装着されている。そのため、用紙３のジャム処理や、ドラムカートリッジ２１の交換の容易化を図ることができる。
（９）そして、第１揺動部材６２が、消耗品であるドラムカートリッジ２１に設られることなく、本体ケーシング２に設けられているので、ドラムカートリッジ２１のコストの低減化を図ることができる。また、ドラムカートリッジ２１に第１揺動部材６２を設けると、ドラムカートリッジ２１の着脱時に、第１揺動部材６２が損傷するおそれがある。しかし、第１揺動部材６２を本体ケーシング２に設ければ、かかる損傷のおそれを回避することができる。
（１０）一方、第２揺動部材６３は、ドラムカートリッジ２１に設けられている。そのため、感光ドラム２３に対する第２揺動部材６３の近接位置および離間位置の位置精度を向上させることができる。その結果、用紙３に対するトナー像の確実な転写を達成することができる。
４．転写位置案内機構の変形例
上記の実施形態では、第２当接部８３を自重によって第１当接部６６の係止片７２に当接させたが、たとえば、図１１に示すように、第２当接部８３において、第１当接部６６をスライド自在に係止させることもできる。なお、図１１において、上記した部材と同様の部材には同一の符号を付し、その説明を省略する。
【０１４４】
図１１において、第１当接部６６は、側面視略Ｊ字形状に形成されており、第１回転軸６４から径方向外方に真っ直ぐに突出する突出部としての突出杆９１と、その突出杆９１の遊端部から第２当接部８３に向かって所定角度（たとえば、４５〜１３５°）に屈曲する突起部としての係止片９２とを備えている。係止片９２は、突出杆９１より短く形成されており、その遊端部の幅方向両端部が幅方向外方にやや突出するように形成されている。
【０１４５】
第２当接部８３は、ドラム側スリット５３よりもやや幅狭の、前後方向に延びる平面視略矩形状の係合片９３を備えている。係合片９３の長手方向途中には、係止片９２を受け入れる受入溝としてのスライド溝９４が、長手方向に沿って形成されている。
【０１４６】
スライド溝９４は、第１揺動部材６２が非通過位置と通過位置とを揺動する範囲に対応する前後方向長さで形成されている。スライド溝９４には、係止片９２の遊端部が貫通するように係止されており、これによって、係止片９２がスライド自在に嵌合されている。これによって、係止片９２は、スライド溝９４において、第１揺動部材６２の非通過位置と通過位置との間の揺動に対応するスライドが許容される。
【０１４７】
そして、図１１に示す転写位置案内機構６１では、用紙３が用紙当接部６５を乗り越えて通過するときに、第１回転軸６４が軸心周りに回転すると、第１当接部６６の係止片９２が、第２当接部８３のスライド溝９４に対して後方へスライドされる。すると、第２回転軸８１が軸心周りに回転し、第２揺動部材６３が近接位置に配置される。
【０１４８】
一方、用紙３が用紙当接部６５を通過した後、第１回転軸６４が軸心周りに回転すると、第１当接部６６の係止片９２が、第２当接部８３のスライド溝９４に対して前方へスライドされる。すると、第２回転軸８１が軸心周りに回転し、第２揺動部材６３が離間位置に配置される。
【０１４９】
そして、図１１に示す転写位置案内機構６１では、スライド溝９４が、第１揺動部材６２が非通過位置と通過位置とを揺動する範囲に対応する前後方向長さで形成されている。そのため、係止片９２が、スライド溝９４を後方へ向かってスライドして、スライド溝９４の後端縁に当接すると、第２揺動部材６３が近接位置に配置される。また、係止片９２が、スライド溝９４を前方へ向かってスライドして、スライド溝９４の前端縁に当接すると、第２揺動部材６３が離間位置に配置される。
【０１５０】
その結果、上記した実施形態のように、揺動規制突起６８とストッパ７８との当接により位置決めせずとも、簡易な構成により、第１揺動部材６２を非通過位置または通過位置に確実に配置させることができるとともに、第２揺動部材６３を近接位置または離間位置に確実に配置させることができる。
【図面の簡単な説明】
【０１５１】
【図１】本発明の画像形成装置としてのレーザプリンタの一実施形態を示す要部側断面図である。
【図２】プロセスカートリッジの側断面図である。
【図３】ドラムカートリッジおよび用紙案内板の側断面図（非転写時）である。
【図４】ドラムカートリッジおよび用紙案内板の側断面図（転写時）である。
【図５】ドラムフレームおよび用紙案内板の平面視側斜視図（非転写時）である。
【図６】ドラムフレームおよび用紙案内板の平面視側斜視図（転写時）である。
【図７】用紙案内板の平面視側斜視図（転写時）である。
【図８】用紙案内板の底面視側斜視図（転写時）である。
【図９】転写位置案内機構の要部動作図（非転写時）である。
【図１０】転写位置案内機構の要部動作図（転写時）である。
【図１１】転写位置案内機構の他の実施形態を示す斜視図（非転写時）である。
【符号の説明】
【０１５２】
１      レーザプリンタ
２      本体ケーシング
３      用紙
２１    ドラムカートリッジ
２３    感光ドラム
６２    第１揺動部材
６３    第２揺動部材
６４    第１回転軸
６５    用紙当接部
６６    第１当接部
６７    センサアーム
６８    揺動規制突起
７１    突出杆
７２    係止片
７８    ストッパ
７５    フォトセンサ
８１    第２回転軸
８２    転写案内部
８３    第２当接部
８５    案内支持部
８６    フィルム部材
９１    突出杆
９２    係止片
９４    スライド溝
【図１】
2008139855.tif 000003
【図２】
2008139855.tif 000004
【図３】
2008139855.tif 000005
【図４】
2008139855.tif 000006
【図５】
2008139855.tif 000007
【図６】
2008139855.tif 000008
【図７】
2008139855.tif 000009
【図８】
2008139855.tif 000010
【図９】
2008139855.tif 000011
【図１０】
2008139855.tif 000012
【図１１】
2008139855.tif 000013